(57)【要約】  【課題】商品サイズの変更に対してデットスペースの発生を少なくし、商品サイズの変更に応じて傾斜棚25上の商品の列数を２列以上にも切り換えて使用できる自動販売機を提供する。  【解決手段】傾斜棚25に収納する商品の列数を２列と３列とに切り換える。商品の列数が２列のときには、各列に位置する商品払出機構40を動作させるのと同時に両列に跨って位置する中央の商品払出機構40を動作させる。商品の列数が３列のときには、各列に位置する商品払出機構40を個別に動作させる。２列と３列との切り換えで、商品サイズの変更に対してデットスペースの発生を少なくし、傾斜棚25上を有効利用できる可能性を高める。２列のときに中央の商品払出機構40が両列に跨ってもそれら各列から商品を確実に払い出し、商品の列数を２列と３列とに切り換えできる。  【選択図】図１
2005044141.tif 000002
【特許請求の範囲】
【請求項１】
一端側が下降傾斜しその傾斜方向に商品を整列収納するとともに、傾斜方向に対して交差する幅方向に２列以上の商品を収納する傾斜棚と、
この傾斜棚の幅方向に収納する商品の列数を切り換える仕切板と、
前記傾斜棚の一端側に商品の最大列数の各位置に対応してそれぞれ設けられた商品払出機構と、
前記傾斜棚の各列の商品の商品払出時に、払い出す商品の列内に位置する商品払出機構を動作させるとともに、払い出す商品の列と隣接する列とに跨って商品払出機構が位置するときにはその商品払出機構を同時に動作させる制御部と
を具備していることを特徴とする自動販売機。
【請求項２】
一端側が下降傾斜しその傾斜方向に商品を整列収納するとともに、傾斜方向に対して交差する幅方向に所定寸法の商品では２列、所定寸法の商品より小さい寸法の商品では３列ずつそれぞれ並列に収納可能とする傾斜棚と、
この傾斜棚の幅方向に収納する商品の列数を２列と３列とに切り換える仕切板と、
前記傾斜棚の一端側に商品の３列の各位置に対応してそれぞれ設けられた商品払出機構と、
前記傾斜棚の各列の商品の商品払出時に、商品の列数が３列のときには各列に位置する商品払出機構を個別に動作させ、商品の列数が２列のときには各列に位置する商品払出機構を動作させるのと同時に両列に跨って位置する中央の商品払出機構を動作させる制御部と
を具備していることを特徴とする自動販売機。
【請求項３】
傾斜棚の商品の３列の各位置に対応してそれぞれ設けられた売切れ検知手段を備え、中央の売切れ検知手段は商品の列数が２列のときには売切れ検知状態となり、
制御部は、全ての売切れ検知手段が商品を検知状態のときには各商品払出機構を個別に動作させ、中央の売切れ検知手段が売切れ検知状態のときには両側の各商品払出機構を動作させるのと同時に中央の商品払出機構を動作させる
ことを特徴とする請求項２記載の自動販売機。
【発明の詳細な説明】
【技術分野】
【０００１】
本発明は、傾斜棚上に商品を整列収納し、商品払出時に傾斜棚上の商品を払い出す自動販売機に関する。
【背景技術】
【０００２】
従来、例えば缶入り飲料やペットボトル入り飲料などの商品を販売する自動販売機では、販売機本体およびこの販売機本体の前面を開閉する扉体を有し、この販売機本体には前面を除く周囲に設けられる断熱壁および仕切用の断熱壁によって複数の商品収納空間が区画形成され、これら各商品収納空間に複数の商品払出装置が上下方向に複数段に配列されているとともにこれら商品払出装置の後部側に商品落下通路が形成されている。
【０００３】
各商品払出装置は、後方の商品落下通路へ向けて下降傾斜しその傾斜方向に１列状に複数の商品を整列収納する傾斜棚を備え、この傾斜棚の傾斜方向の端部には商品落下通路に臨む商品から１本ずつ順に商品落下通路へ払い出す商品払出機構が配設されている（例えば、特許文献１参照）。
【特許文献１】特開平１０−２５５１４３号公報（第５−６頁、図２−４）
【発明の開示】
【発明が解決しようとする課題】
【０００４】
ところで、傾斜棚上には商品を１列に整列収納しているが、小形サイズの商品を２列に整列収納し、商品の種類を増やしたり、小形サイズの商品を多く収納したいというが要望がある。
【０００５】
そこで、例えばロング缶を１列に整列収納する傾斜棚に２列分の商品払出機構を予め設けておき、ロング缶を１列に整列収納した場合には、２列分の商品払出機構を同時に動作させ、また、傾斜棚を２列に仕切ってロング缶の略半分の長さのショート缶を２列に整列収納した場合には、各列の商品払出機構をそれぞれ動作させることで対応可能となるが、ショート缶は使用商品が限られてしまい、現実的でない。
【０００６】
実際の使用場面では、例えば５００ｍｌペットボトルなどの大形商品を、例えば３００ｍｌペットボトルまたは３５０ｍｌ缶などの小形商品に変更したいという要望が高いが、この場合、小形商品は大形商品の２／３程度の長さであるため、商品の列数を増やすことはできず、傾斜棚の１／３がデットスペースとなって傾斜棚上の有効利用が課題となる。
【０００７】
本発明は、このような点に鑑みなされたもので、商品サイズの変更に対してデットスペースの発生が少なく傾斜棚上を有効利用できる可能性を高めることができるとともに、商品サイズの変更に応じて傾斜棚上の商品の列数を２列以上にも切り換えて使用できる自動販売機を提供することを目的とする。
【課題を解決するための手段】
【０００８】
請求項１記載の自動販売機は、一端側が下降傾斜しその傾斜方向に商品を整列収納するとともに、傾斜方向に対して交差する幅方向に２列以上の商品を収納する傾斜棚と、この傾斜棚の幅方向に収納する商品の列数を切り換える仕切板と、前記傾斜棚の一端側に商品の最大列数の各位置に対応してそれぞれ設けられた商品払出機構と、前記傾斜棚の各列の商品の商品払出時に、払い出す商品の列内に位置する商品払出機構を動作させるとともに、払い出す商品の列と隣接する列とに跨って商品払出機構が位置するときにはその商品払出機構を同時に動作させる制御部とを具備しているものである。
【０００９】
そして、この構成では、傾斜棚に収納する商品の列数を２列以上で切換可能とし、傾斜棚の各列の商品の商品払出時に、払い出す商品の列内に位置する商品払出機構を動作させるとともに、払い出す商品の列と隣接する列とに跨って商品払出機構が位置するときにはその商品払出機構を同時に動作させるため、商品サイズの変更に対してデットスペースの発生が少なく傾斜棚上を有効利用できる可能性を高められるとともに、隣接する両側の列に商品払出機構が跨るような列数に設定してもそれら各列から商品を確実に払い出すことが可能となり、商品の列数を任意に切り換えられる。
【００１０】
請求項２記載の自動販売機は、一端側が下降傾斜しその傾斜方向に商品を整列収納するとともに、傾斜方向に対して交差する幅方向に所定寸法の商品では２列、所定寸法の商品より小さい寸法の商品では３列ずつそれぞれ並列に収納可能とする傾斜棚と、この傾斜棚の幅方向に収納する商品の列数を２列と３列とに切り換える仕切板と、前記傾斜棚の一端側に商品の３列の各位置に対応してそれぞれ設けられた商品払出機構と、前記傾斜棚の各列の商品の商品払出時に、商品の列数が３列のときには各列に位置する商品払出機構を個別に動作させ、商品の列数が２列のときには各列に位置する商品払出機構を動作させるのと同時に両列に跨って位置する中央の商品払出機構を動作させる制御部とを具備しているものである。
【００１１】
そして、この構成では、傾斜棚に収納する商品の列数を２列と３列とに切換可能とし、傾斜棚の各列の商品の商品払出時に、商品の列数が２列のときには各列に位置する商品払出機構を動作させるのと同時に両列に跨って位置する中央の商品払出機構を動作させ、商品の列数が３列のときには各列に位置する商品払出機構を個別に動作させるため、２列と３列との切り換えで商品サイズの変更に対してデットスペースの発生が少なく傾斜棚上を有効利用できる可能性を高められるとともに、２列のときに中央の商品払出機構が両列に跨ってもそれら各列から商品を確実に払い出すことが可能となり、商品の列数を２列と３列とに切り換えられる。
【００１２】
請求項３記載の自動販売機は、請求項２記載の自動販売機において、傾斜棚の商品の３列の各位置に対応してそれぞれ設けられた売切れ検知手段を備え、中央の売切れ検知手段は商品の列数が２列のときには売切れ検知状態となり、制御部は、全ての売切れ検知手段が商品を検知状態のときには各商品払出機構を個別に動作させ、中央の売切れ検知手段が売切れ検知状態のときには両側の各商品払出機構を動作させるのと同時に中央の商品払出機構を動作させるものである。
【００１３】
そして、この構成では、傾斜棚の商品の３列の各位置に対応して売切れ検知手段をそれぞれ設け、中央の売切れ検知手段については商品の列数が２列のときに売切れ検知状態となることにより、全ての売切れ検知手段が商品を検知状態のときには３列の各商品払出機構を個別に動作させ、中央の売切れ検知手段が売切れ検知状態のときには両側の各商品払出機構を動作させるのと同時に中央の商品払出機構を動作させるため、売切れ検知手段の検知状態に応じて商品が２列か３列かを自動的に判断して各商品払出機構が適切に動作される。
【発明の効果】
【００１４】
請求項１記載の自動販売機によれば、傾斜棚に収納する商品の列数を２列以上で切換可能とし、傾斜棚の各列の商品の商品払出時に、払い出す商品の列内に位置する商品払出機構を動作させるとともに、払い出す商品の列と隣接する列とに跨って商品払出機構が位置するときにはその商品払出機構を同時に動作させるため、商品サイズの変更に対してデットスペースの発生が少なく傾斜棚上を有効利用できる可能性を高めることができるとともに、隣接する両側の列に商品払出機構が跨るような列数に設定してもそれら各列から商品を確実に払い出すことができ、商品の列数を任意に切り換えることができる。
【００１５】
請求項２記載の自動販売機によれば、傾斜棚に収納する商品の列数を２列と３列とに切換可能とし、傾斜棚の各列の商品の商品払出時に、商品の列数が２列のときには各列に位置する商品払出機構を動作させるのと同時に両列に跨って位置する中央の商品払出機構を動作させ、商品の列数が３列のときには各列に位置する商品払出機構を個別に動作させるため、２列と３列との切り換えで商品サイズの変更に対してデットスペースの発生が少なく傾斜棚上を有効利用できる可能性を高めることができるとともに、２列のときに中央の商品払出機構が両列に跨ってもそれら各列から商品を確実に払い出すことができ、商品の列数を２列と３列とに切り換えることができる。
【００１６】
請求項３記載の自動販売機によれば、請求項２記載の自動販売機の効果に加えて、傾斜棚の商品の３列の各位置に対応して売切れ検知手段をそれぞれ設け、中央の売切れ検知手段については商品の列数が２列のときに売切れ検知状態となることにより、全ての売切れ検知手段が商品を検知状態のときには３列の各商品払出機構を個別に動作させ、中央の売切れ検知手段が売切れ検知状態のときには両側の各商品払出機構を動作させるのと同時に中央の商品払出機構を動作させることができ、売切れ検知手段の検知状態に応じて商品が２列か３列かを自動的に判断して各商品払出機構を適切に動作させることができる。
【発明を実施するための最良の形態】
【００１７】
以下、本発明の一実施の形態を図面を参照して説明する。
【００１８】
図５に、例えば飲料が入った円筒状の缶や円筒状のペットボトルなどの円筒状の商品Ａを販売する自動販売機11を示し、この自動販売機11は、前面を開口した販売機本体12、およびこの販売機本体12の前面開口を開閉する扉体13を有している。販売機本体12の前面を除く周囲の各面に断熱壁14が設けられ、販売機本体12の内部に販売機本体12の幅方向（左右方向）に複数の商品収納空間15に仕切る仕切用の断熱壁16が設けられている。扉体13は、前面扉13aと、この前面扉13aに回動可能に支持された断熱壁17，18で構成される中扉13bとを有し、前面扉13aの下部には販売口19が形成されている。
【００１９】
各商品収納空間15には、複数の商品Ａを前方から投入して前後方向に整列収納するとともに後方から１本ずつ払い出す商品払出装置21が、扉体13の販売口19より上方域で上下方向に複数段に配設され、この商品払出装置21の後方で後部の断熱壁14aとの間に商品払出装置21から払い出された商品Ａが落下する商品落下通路22が上下方向に設けられ、この商品落下通路22の下部から前方の扉体13に設けられた販売口19へ向けて商品Ａを導くシュート23が設けられている。断熱壁18にはシュート23によって販売口19へ導かれる商品Ａが通過する開口部24が設けられている。
【００２０】
商品払出装置21は、後方の商品落下通路22へ向けて下降傾斜し、この傾斜方向である前後方向（商品整列方向）に１列または複数列に商品Ａを整列収納するとともに傾斜によって商品落下通路22へ向けて案内する傾斜棚25を有している。この傾斜棚25は、両側の断熱壁間、つまり販売機本体12の側部の断熱壁14bと仕切用の断熱壁16との間、および両側の仕切用の断熱壁16，16間に、上下方向に複数段に配設されている。そして、各傾斜棚25上で両側の断熱壁14b，16間に、複数の商品Ａを収納する商品収納部26が形成されている。
【００２１】
図１ないし図４に、商品払出装置21を示し、この商品払出装置21の傾斜棚25は、複数の商品Ａを前後方向に整列載置する載置面31、この載置面31の周縁部から下面側に向けて略直角に折り曲げられた折曲部32を一体に有している。載置面31の前後方向と交差する左右両側の折曲部32aの前後部には、左右両側の断熱壁14b，16に着脱可能に係止する係止部としての略Ｌ字形の取付溝33がそれぞれ形成されている。傾斜棚25を配置する左右両側の断熱壁14b，16の前後には、各段の傾斜棚25の取付位置に対応して取付ピン34がそれぞれ突設されている。そして、傾斜棚25の各取付溝33を各取付ピン34に係合させることにより、載置面31が後方の商品落下通路22へ向けて下降傾斜する状態に取り付けられている。この傾斜棚25の傾斜角度は２０°以内としている。
【００２２】
傾斜棚25の商品落下通路22に臨む後端中央域に切欠部35が開放形成され、この切欠部35の左右両側から取付部（切起部）36が、前側から取付部（切起部）37がそれぞれ下面側に向けて略直角に切り起こし形成されている。
【００２３】
また、傾斜棚25の下面側には、傾斜棚25上に整列収納される商品Ａを係止するとともに商品販売時に商品落下通路22に臨む最後部の商品Ａ（以下、販売商品A1という）を１本ずつ払い出す商品払出機構40が一体に設けられている。この商品払出機構40は、傾斜棚25の切欠部35に回動可能に配置される第１のストッパ（後ストッパ）41および第２のストッパ（前ストッパ）42、傾斜棚25の下面に配置されて第１のストッパ41および第２のストッパ42を動作させる駆動機構43を有している。
【００２４】
第１のストッパ41は、板状で、傾斜棚25の商品落下通路22に臨む後端で両側の取付部36に挿通される支軸44によって回動可能に軸支されており、傾斜棚25上に突出して販売商品A1を係止する係止位置（図４の実線で示す位置）から商品払出時に商品落下通路22内を回動し下向きとなって商品Ａを払い出す払出位置（図４の２点鎖線で示す位置）の間で略１８０°回動可能としている。第１のストッパ41は、傾斜棚25上での商品Ａの自重による商品落下通路22へ向けた移動を許容する付勢力で係止位置へ向けて付勢されている。
【００２５】
第２のストッパ42は、板状で、第１のストッパ41の支軸44より前方位置で両側の取付部36に挿通される支軸45によって回動可能に軸支されており、商品払出待機時に切欠部35内に倒れ込んで傾斜棚25の上面から下方に退避する退避位置（図４の実線で示す位置）から商品払出時に傾斜棚25上に突出して販売商品A1の次の商品Ａ（以下、次回販売商品A2という）を係止する係止位置（図４の２点鎖線で示す位置）との間で回動可能としている。
【００２６】
駆動機構43は、ソレノイド46を有し、このソレノイド46が傾斜棚25から下面側に切り起こし形成された複数の切起片47にねじ48によってそれぞれ取り付けられている。ソレノイド46のプランジャ49には連結板50が連結され、この連結板50に第１のストッパ41を動作させる第１の駆動ピン51および第２のストッパ42を動作させる第２の駆動ピン52がそれぞれ連結されている。傾斜棚25と連結板50との間には、連結板50と傾斜棚25の取付部37との間にスプリングＳが連結されている。そして、ソレノイド46の非励磁時には、スプリングＳの付勢によって連結板50とともに各駆動ピン51，52が後方の第１の位置（図４に実線で示す位置）に移動し、また、ソレノイド46の励磁時には、スプリングＳの付勢に抗して連結板50が引っ張られ、連結板50とともに各駆動ピン51，52が前方の第２の位置（図４に２点鎖線で示す位置）に移動する。各駆動ピン51，52の両端は、両側の取付部36に設けられたガイド溝53，54にそれぞれ係合されている。
【００２７】
第１のストッパ41の支軸44で支持された基端には、第１のカム部55および第２のカム部56を有するカム57が形成されている。第１の駆動ピン51が後方の第１の位置に位置するときには第１のカム部55に第１の駆動ピン51が当接して第１のストッパ41が係止位置に保持され、第１の駆動ピン51が後方の第１の位置から前方の第２の位置に移動する途中に第２のカム部56に第１の駆動ピン51が当接して第１のストッパ41が後方の商品落下通路22へ向けて回動し、第１の駆動ピン51が前方の第２の位置に位置するときには各カム部55，56に対して第１の駆動ピン51が干渉しない位置に退避する。
【００２８】
第２のストッパ42には第２の駆動ピン52に係合する係合片58が形成されている。第２の駆動ピン52が後方の第１の位置に位置するときには第２のストッパ42が切欠部35内に倒れ込んで傾斜棚25の上面から下方に退避する退避位置に位置し、第２の駆動ピン52が後方の第２の位置から前方の第１の位置へ向けて移動するときには第２のストッパ42が傾斜棚25上に突出して次回販売商品A2を係止する係止位置に回動する。
【００２９】
また、傾斜棚25の下面には、下段の傾斜棚25上の商品Ａを下方へ押え付ける上下規制板61が取り付けられている。この上下規制板61は、前端側が傾斜棚25の下面に切り起こされた切起片62に支軸63によって回動可能に支持されている。上下規制板61の他端である後端側は、後方へ傾斜して上下方向に揺動可能とし、商品払出待機時に下段の傾斜棚25上で第１のストッパ41により係止されている販売商品A1の次の次回販売商品A2上に当接可能とするとともに商品払出時に下段の傾斜棚25上で第２のストッパ42により係止される次回販売商品A2上に当接可能としている。
【００３０】
上下規制板61の支軸63で支持された前端には作動部64が形成され、また、傾斜棚25の下面には、上下規制板61の後端が下段の傾斜棚25上の最小径の商品Ａの径寸法より下方に揺動したときに、作動部64で押動されて商品Ａの売り切れまたは商品Ａの残りが１本であることを検知する売切れ検知手段としての売切れスイッチ65が配設されている。
【００３１】
また、図５(b)において、左側の商品収納空間15の幅方向の寸法は他の商品収納空間15より幅広であり、例えば、他の商品収納空間15に配置される各商品払出装置21には幅方向に１列ずつ商品Ａを収納し、左側の商品収納空間15に配置される各商品払出装置21には幅方向に２列または３列ずつ商品Ａを収納することができる。
【００３２】
図１および図２に、左側の商品収納空間15に配置される商品払出装置21を示し、傾斜棚25の傾斜方向に対し交差する幅方向の寸法は、図２(a)に示すように、大形の商品Ａである例えば５００ｍｌ入りのペットボトルを横向きとしてその長手方向（ペットボトルを立てたときの高さ方向）に２列に配列収納できる寸法であって、約４３０ｍｍ程度に形成されている。この傾斜棚25の幅方向の寸法は、小形の商品Ａである例えば３００ｍｌ入りのペットボトルの場合、このペットボトルを立てたときの高さが約１４０ｍｍ程度であることから１４０×３＝４２０ｍｍで、このペットボトルを横向きとして幅方向に３列に配列収納できる寸法でもある。
【００３３】
この傾斜棚25には、３００ｍｌ入りのペットボトルを３列に収納した場合に各列の商品収納部26から個別に払い出すことができるように、３列の商品収納部26の各位置に対応した３箇所にそれぞれ独立して動作する商品払出機構40が設けられている。さらに、傾斜棚25の下面には、３列の商品収納部26に対応した３箇所にそれぞれ独立して動作する上下規制板61および売切れスイッチ65などが設けられている。
【００３４】
この傾斜棚25の上面には、商品Ａの列間を仕切る一対の仕切板71が２列と３列とに切り換え可能に取り付けられている。これら仕切板71は、傾斜棚25上に接合されて取り付けられる取付部72およびこの取付部72から立ち上げられて商品Ａの列間を仕切る仕切部73を有する断面略Ｌ字形に形成されている。取付部72には複数の係止突部74が突設され、傾斜棚25には少なくとも２列のときの傾斜棚25の位置と３列のときの傾斜棚25の位置で各係止突部74が差し込み係止される複数の係止孔75が形成されている。
【００３５】
傾斜棚25の下面に３列の各位置に対応して配置された３つの売切れスイッチ65のうち、両側の売切れスイッチ65は上下規制板61によって作動されるが、中央の売切れスイッチ65は中央の上下規制板61aとは別に設けられた棒状の売切れ検知レバー81によって作動される。この売切れ検知レバー81の基端は、傾斜棚25の下面に切り起こされた切起片82に支軸83によって回動可能に支持され、また、売切れ検知レバー81の先端は、後方へ傾斜して上下方向に揺動可能としている。売切れ検知レバー81の支軸83で支持された基端には、売切れ検知レバー81の他端が下段の傾斜棚25上の最小径の商品Ａの径寸法より下方に揺動したときに、商品Ａの売り切れまたは商品Ａの残りが１本であることを検知する売切れスイッチ65を押動させる図示しない作動部が形成されている。そして、図２(a)に示すように、傾斜棚25上での商品Ａの列数が２列の場合には、売切れ検知レバー81の先端が一対の仕切板71間の隙間を通じて下降し、売切れスイッチ65を押動し、売り切れ状態にある。また、図２(b)に示すように、傾斜棚25上での商品Ａの列数が３列の場合には、売切れ検知レバー81が下段の傾斜棚25上の中央列の商品Ａに当接可能としている。
【００３６】
中央の上下規制板61aは、売切れ検知レバー81を作動させない以外には、両側の上下規制板61と同様に機能する。
【００３７】
また、図６には傾斜棚25に収納する商品Ａの列数の切り換えに関するブロック図を示す。制御部91は、各売切れスイッチ65からの検知信号を入力し、各商品払出機構40のソレノイド46を制御する。制御部91は、傾斜棚25の各列の商品Ａの商品払出時に、商品Ａの列数が３列のときには各列に位置する商品払出機構40を個別に動作させ、商品Ａの列数が２列のときには各列に位置する商品払出機構40を動作させるのと同時に両列に跨って位置する中央の商品払出機構40を動作させる機能を有している。すなわち、３列の全ての売切れスイッチ65が商品Ａを検知状態のときには各商品払出機構40を個別に動作させ、中央の売切れスイッチ65が売切れ検知状態でかつ両側の売切れスイッチ65が売切れ非検知状態のときには両側の各商品払出機構40を動作させるのと同時に中央の商品払出機構40を動作させる機能を有している。
【００３８】
また、図７には商品Ａの賞味期限の管理に関するブロック図を示す。制御部91は、ＣＰＵ92、ＲＯＭ93、ＲＡＭ94、時計95を有しており、商品名などの商品種類と商品Ａを補充するラック番号つまり商品払出装置21の商品収納部26に付された番号などを表示する表示部96が接続されている。制御部91には、一定期間毎に商品Ａの補充などを行うルートサービスマンの端末97を有線または無線接続可能とし、この端末97にて商品Ａ毎の販売間隔の日数、賞味期限の残りの日数、ルートサービス間隔の日数などを入力し、自動販売機11の制御部91に伝送できる。端末97は、商品Ａ毎の販売間隔の日数を入力する販売間隔日数入力手段、賞味期限の残りの日数を入力する賞味期限残日数入力手段、ルートサービス間隔の日数を入力するルートサービス間隔日数入力手段として構成されている。
【００３９】
制御部91は、商品Ａの販売間隔の日数をｄ、賞味期限の残りの日数をＸ、ルートサービス間隔の日数をＹとした場合、Ｙ／ｄとＸ／ｄとのうち少ない本数を収納本数として判断する機能、判断した収納本数から商品Ａを収納する商品収納部26の数と場所を特定する機能、商品収納部26の数と場所の特定により商品名などの商品種類と商品Ａを補充する商品収納部26の番号などを表示部96に表示させる機能を有している。さらに、賞味期限切れになる時期を表示部96に表示させる機能、販売情報から賞味期限切れになるルート日を表示部96に表示させる機能を有している。
【００４０】
次に、本実施の形態の作用を説明する。
【００４１】
まず、基本的な商品払出動作について説明する。
【００４２】
図４に実線で示すように、商品払出待機時には、ソレノイド46が非励磁で、スプリングＳの付勢で第１の駆動ピン51および第２の駆動ピン52が後方の第１の位置にそれぞれ位置する。第１のストッパ41は、第１のカム部55が後方の第１の位置に位置する第１の駆動ピン51に当接し、傾斜棚25上に突出して販売商品A1を係止する係止位置に保持されている。第２のストッパ42は、傾斜棚25の下方の退避位置に退避している。上下規制板61は次回販売商品A2上に当接し、売切れスイッチ65はオフして非売切れ検知状態にある。
【００４３】
傾斜棚25上に収納される商品Ａは、両側の断熱壁14a，16をガイド面とするとともに傾斜棚25の傾斜によって後方へ向けて案内されて整列されている。
【００４４】
また、図４に２点鎖線で示すように、商品払出時には、ソレノイド46を励磁し、第１の駆動ピン51および第２の駆動ピン52を後方の第１の位置から前方の第２の位置に移動させる。
【００４５】
第１の駆動ピン51を前方の第２の位置への移動させることで、第１のストッパ41の回動を許容するため、販売商品A1の自重により傾斜棚25上を後方へ向けて移動を開始し、第１のストッパ41を後方へ向けて倒していく。
【００４６】
販売商品A1で押されて後方へ倒れる第１のストッパ41は、商品落下通路22に進入してこの商品落下通路22内を下方へ向けて回動する。第１のストッパ41が係止位置から約１８０°回動して下向きとなる払出位置まで回動すれば、販売商品A1は、後側の断熱壁14aと第１のストッパ41との間から下方へ外れ、商品落下通路22内を落下する。商品落下通路22内を落下する販売商品A1をシュート23を通じて販売口19に払い出す。
【００４７】
また、第１のストッパ41から販売商品A1が外れることにより、ばねの付勢によって第１のストッパ41は速やかに上方へ回動して係止位置まで復帰する。
【００４８】
一方、第２の駆動ピン52が後方の第１の位置から前方の第２の位置に移動することにより、第２のストッパ42の先端が傾斜棚25上で販売商品A1と次回販売商品A2との間に突出し、この第２のストッパ42で販売商品A1の後方への移動に伴って後方へ移動する次回販売商品A2を係止する。
【００４９】
また、第１のストッパ41が係止位置に復帰するタイミングで、ソレノイド46の励磁を解除し、スプリングＳの付勢によって第１の駆動ピン51および第２の駆動ピン52を前方の第１の位置から後方の第１の位置に移動させる。
【００５０】
後方の第１の位置に復帰した第１の駆動ピン51が第１のカム部55に当接して第１のストッパ41を係止位置に保持する。第２のストッパ42が傾斜棚25の下方の退避位置に退避し、この第２のストッパ42で係止していた次回販売商品A2が傾斜棚25を後方へ移動し、第１のストッパ41に当接して停止し、次回の払出動作に待機する。
【００５１】
次に、傾斜棚25上での商品Ａの列数が２列の場合の商品払出動作について説明する。
【００５２】
図１および図２(a)に示すように、一対の仕切板71を傾斜棚25の中央に配置し、傾斜棚25上での商品Ａの列数を２列とする。傾斜棚25の両側の商品払出機構40は各列にそれぞれ位置するが、中央の商品払出機構40は両列に跨った位置に位置する。中央の売切れ検知レバー81の先端が一対の仕切板71間の隙間を通じて下降し、売切れスイッチ65をオンして売り切れ状態にあり、両側の上下規制板61が商品Ａ上に当接し、売切れスイッチ65はオフして非売切れ検知状態にある。
【００５３】
制御部91は、中央の売切れスイッチ65が売切れ検知状態でかつ両側の売切れスイッチ65が売切れ非検知状態であるため、傾斜棚25上での商品Ａの列数が２列であることを判断し、２列に対応した払出制御を行う。つまり、２列のうちいずれか一方の列から商品Ａを払い出す場合、その列に対応した商品払出機構40を動作させるのと同時に中央の商品払出機構40を動作させる。そのため、中央の商品払出機構40が両列に跨っても、各列から商品Ａを確実に払い出すことができる。
【００５４】
次に、傾斜棚25上での商品Ａの列数が３列の場合の商品払出動作について説明する。
【００５５】
図２(b)に示すように、一対の仕切板71を傾斜棚25上を３列に分割する位置に配置し、傾斜棚25上での商品Ａの列数を３列とする。傾斜棚25の３列の商品払出機構40は３列の商品Ａの位置にそれぞれ位置する。中央の売切れ検知レバー81および両側の上下規制板61が３列の商品Ａにそれぞれ当接し、３列の全ての売切れスイッチ65はオフして非売切れ検知状態にある。また、制御部91は、３列の全ての売切れスイッチ65が商品Ａを検知状態であるため、傾斜棚25上での商品Ａの列数が３列であることを判断し、３列に対応した払出制御を行う。つまり、３列の各商品Ａの払い出し応じて、各列の商品払出機構40を個別に動作させる。
【００５６】
このように、この自動販売機11では、傾斜棚25に収納する商品Ａの列数を２列と３列とに切換可能とし、傾斜棚25の各列の商品Ａの商品払出時に、商品Ａの列数が２列のときには各列に位置する商品払出機構40を動作させるのと同時に両列に跨って位置する中央の商品払出機構40を動作させ、商品Ａの列数が３列のときには各列に位置する商品払出機構40を個別に動作させるため、２列と３列との切り換えで商品サイズの変更に対してデットスペースの発生が少なく傾斜棚25上を有効利用できる可能性を高めることができるとともに、２列のときに中央の商品払出機構40が両列に跨ってもそれら各列から商品Ａを確実に払い出すことができ、商品Ａの列数を２列と３列とに切り換えることができる。
【００５７】
傾斜棚25の商品Ａの３列の各位置に対応して売切れスイッチ65をそれぞれ設け、中央の売切れスイッチ65については商品Ａの列数が２列のときに売切れ検知状態となることにより、全ての売切れスイッチ65が商品Ａを検知状態のときには３列の各商品払出機構40を個別に動作させ、中央の売切れスイッチ65が売切れ検知状態のときには両側の各商品払出機構40を動作させるのと同時に中央の商品払出機構40を動作させることができ、売切れスイッチ65の検知状態に応じて商品Ａが２列か３列かを自動的に判断して各商品払出機構40を適切に動作させることができる。
【００５８】
また、自動販売機11に対しては、一定期間毎にルートサービスマンによって商品Ａの補充などを行う。補充しようとする商品Ａ毎に、ルートサービスマンの端末97にて販売間隔の日数、賞味期限の残りの日数、ルートサービス間隔の日数などを入力する。
【００５９】
制御部91では、販売間隔の日数をｄ、賞味期限の残りの日数をＸ、ルートサービス間隔の日数をＹとし、Ｙ／ｄとＸ／ｄとのうち少ない本数を収納本数として判断し、判断した収納本数から商品Ａを収納する商品収納部26の数と場所を特定し、この特定により商品名などの商品種類と商品Ａを補充する商品収納部26の番号などを表示部96に表示させる。
【００６０】
例えば、ある商品Ａは、販売間隔日数が０．５日、賞味期限の残りが８日、ルートサービス間隔が１４日間であったする。販売可能上では、１４／０．５＝２８本となり、商品収納部26に８本ずつ収納するとして３つの商品収納部26に収納可能であるが、賞味期限上では、８／０．５＝１６本となり、商品収納部26に８本ずつ収納するとして２つの商品収納部26に収納可能となる。
【００６１】
したがって、販売間隔と賞味期限とルートサービス間隔とから、販売可能上の本数と賞味期限上の本数とを比較して少ない本数に基づいて商品収納部26の数を適切に割り付けることができるため、販売可能上の数に基づき商品Ａを多く補充してしまって賞味期限切れが発生してしまうのを防止できる。
【００６２】
そして、ルートサービスマンは、表示部96に表示された商品収納部26に該当商品Ａを補充すればよく、補充作業をスムーズにできる。
【００６３】
また、賞味期限が十分にあり、ルートサービス毎に補充の必要のない商品Ａは、賞味期限切れになる時期を表示部96で表示したり、販売情報から賞味期限切れになるルート日を表示部96で表示する。そのため、賞味期限切れになりそうな商品Ａを容易に確認でき、確実に入れ換えることができる。
【００６４】
なお、前記実施の形態では、傾斜棚25上で商品Ａを収納する列数を２列と３列とに切り換える場合を示したが、２列以上の任意の列数に切り換えてもよく、この場合、最大列数の各位置に対応して商品払出機構40をそれぞれ設ければよい。例えば４列に切り換える構成とすれば、４列の位置に対応して商品払出機構40をそれぞれ設ければよい。このように、傾斜棚25に収納する商品Ａの列数を２列以上で切換可能とし、傾斜棚25の各列の商品Ａの商品払出時に、払い出す商品Ａの列内に位置する商品払出機構40を動作させるとともに、払い出す商品Ａの列と隣接する列とに跨って商品払出機構40が位置するときにはその商品払出機構40を同時に動作させるため、商品サイズの変更に対してデットスペースの発生が少なく傾斜棚25上を有効利用できる可能性を高めることができるとともに、隣接する両側の列に商品払出機構40が跨るような列数に設定してもそれら各列から商品Ａを確実に払い出すことができ、商品Ａの列数を任意に切り換えることができる。
【００６５】
なお、商品Ａは、円筒形に限らず、略四角形、略六角形などの多角形の場合にも、円筒形の場合と同様に取り扱え、同様の作用効果が得られる。
【図面の簡単な説明】
【００６６】
【図１】本発明の一実施の形態を示す自動販売機の傾斜棚の斜視図である。
【図２】同上自動販売機を示し、(a)は傾斜棚の幅方向に商品を２列に収納する場合の正面図、(b)は傾斜棚の幅方向に商品を３列に収納する場合の正面図である。
【図３】同上傾斜棚の裏面の一部を示す斜視図である。
【図４】同上傾斜棚の断面図である。
【図５】同上自動販売機を示し、(a)は概略断面図、(b)は販売機本体の概略正面図である。
【図６】同上傾斜棚に収納する商品の列数の切り換えに関するブロック図である。
【図７】同上自動販売機の賞味期限管理に関するブロック図である。
【符号の説明】
【００６７】
11    自動販売機
25    傾斜棚
40    商品払出機構
65    売切れ検知手段としての売切れスイッチ
71    仕切板
91    制御部
Ａ    商品
【図１】
2005044141.tif 000003
【図２】
2005044141.tif 000004
【図３】
2005044141.tif 000005
【図４】
2005044141.tif 000006
【図５】
2005044141.tif 000007
【図６】
2005044141.tif 000008
【図７】
2005044141.tif 000009